(57)【要約】【課題】操作者が装置周辺への騒音を配慮して高速モードまたは通常モードを切り替える操作を行うことなく、常に適切な速度の紙葉類処理を行うことができるようにする。【解決手段】内部集音部１３が装置内部より発生する騒音の大きさを測定し、その騒音の大きさを示す騒音情報を記憶部から読み出した閾値と比較し、該騒音情報が閾値を超えているとき、通常の速度で紙葉類の分離、搬送、集積動作を行う通常モードとして紙葉類の処理を行い、該騒音情報が閾値を超えていないとき、通常の速度より速い速度で紙葉類の分離、搬送、集積動作を行う高速モードとして紙葉類の処理を行い、装置内部より発生する騒音の大きさに応じて通常モードと高速モードとを切り替えて紙葉類の処理を行うようにした。【選択図】        図１
2008186196.tif 000002
【特許請求の範囲】
【請求項１】
通常の速度で紙葉類の分離、搬送、集積等の動作を行う通常モードと通常の速度より速い速度で紙葉類の分離、搬送、集積等のいずれか１つまたは複数の動作を行う高速モードとを切り替えて紙葉類の処理を行う紙葉類処理装置において、
装置内部より発生する騒音の大きさを測定し、その騒音の大きさを示す騒音情報を出力する内部集音部と、
装置内部の騒音が所定の大きさ超えることを検知するための閾値を記憶する記憶部と、
前記内部集音部が出力する騒音情報を前記記憶部から読み出した閾値と比較し、該騒音情報が閾値を超えているとき、通常モードとして紙葉類の処理を行い、該騒音情報が閾値を超えていないとき、高速モードとして紙葉類の処理を行う制御部とを設け、
装置内部より発生する騒音の大きさに応じて通常モードと高速モードとを切り替えて紙葉類の処理を行うようにしたことを特徴とする紙葉類処理装置。
【請求項２】
通常の速度で紙葉類の分離、搬送、集積等の動作を行う通常モードと通常の速度より速い速度で紙葉類の分離、搬送、集積等のいずれか１つまたは複数の動作を行う高速モードとを切り替えて紙葉類の処理を行う紙葉類処理装置において、
処理される紙葉類がすべて発行直後の張りのある新券であること、または処理される紙葉類に新券以外の紙葉類を含むことを示す取扱紙葉類情報を記憶する記憶部と、
前記記憶部から読み出した取扱紙葉類情報がすべて新券であることを示す情報であるとき、通常モードとして紙葉類の処理を行い、該取扱紙葉類情報が新券以外を含むことを示す情報であるとき、高速モードとして紙葉類の処理を行う制御部とを設け、
前記記憶部に記憶された取扱紙葉類情報に応じて通常モードと高速モードとを切り替えて紙葉類の処理を行うようにしたことを特徴とする紙葉類処理装置。
【請求項３】
通常の速度で紙葉類の分離、搬送、集積等の動作を行う通常モードと通常の速度より速い速度で紙葉類の分離、搬送、集積等のいずれか１つまたは複数の動作を行う高速モードとを切り替えて紙葉類の処理を行う紙葉類処理装置において、
装置周辺に発生している騒音の大きさを測定し、その騒音の大きさを示す騒音情報を出力する外部集音部と、
装置周辺に発生している騒音が所定の大きさ超えることを検知するための閾値を記憶する記憶部と、
前記外部集音部が出力する騒音情報を前記記憶部から読み出した閾値と比較し、該騒音情報が閾値を超えているとき、高速モードとして紙葉類の処理を行い、該騒音情報が閾値を超えていないとき、通常モードとして紙葉類の処理を行う制御部とを設け、
装置周辺に発生している騒音の大きさに応じて通常モードと高速モードとを切り替えて紙葉類の処理を行うようにしたことを特徴とする紙葉類処理装置。
【請求項４】
通常の速度で紙葉類の分離、搬送、集積等の動作を行う通常モードと通常の速度より速い速度で紙葉類の分離、搬送、集積等のいずれか１つまたは複数の動作を行う高速モードとを切り替えて紙葉類の処理を行う紙葉類処理装置において、
装置周辺に人が存在することを検出し、人の存否を示す近接情報を出力する近接センサと、
前記近接センサが出力する近接情報が人の存在を示すとき、通常モードとして紙葉類の処理を行い、該近接情報が人の不存在を示すとき、高速モードとして紙葉類の処理を行う制御部とを設け、
装置周辺の人の存否に応じて通常モードと高速モードとを切り替えて紙葉類の処理を行うようにしたことを特徴とする紙葉類処理装置。
【請求項５】
通常の速度で紙葉類の分離、搬送、集積等の動作を行う通常モードと通常の速度より速い速度で紙葉類の分離、搬送、集積等のいずれか１つまたは複数の動作を行う高速モードとを切り替えて紙葉類の処理を行う紙葉類処理装置において、
装置内部より発生する騒音の大きさを測定し、その騒音の大きさを示す内部騒音情報を出力する内部集音部と、
装置周辺に発生している騒音の大きさを測定し、その騒音の大きさを示す外部騒音情報を出力する外部集音部と、
装置周辺に人が存在することを検出し、人の存否を示す近接情報を出力する近接センサと、
装置内部の騒音が所定の大きさ超えることを検知するための内部騒音閾値、装置周辺に発生している騒音が所定の大きさ超えることを検知するための外部騒音閾値、および処理される紙葉類がすべて張りのある新券であることまたは処理される紙葉類に新券以外の紙葉類を含むことを示す取扱紙葉類情報を記憶する記憶部と、
前記内部騒音情報と前記記憶部から読み出した内部騒音閾値とを比較し、該内部騒音情報が閾値を超えていない場合、
かつ、前記外部騒音情報と前記記憶部から読み出した外部騒音閾値とを比較し、該外部騒音情報が閾値を超えている場合、
かつ、前記記憶部から読み出した取扱紙葉類情報が新券以外を含むことを示す情報である場合、
かつ、前記近接センサが出力する近接情報が人の不存在を示す場合、
高速モードとして紙葉類の処理を行い、それ以外の場合、通常モードとして紙葉類の処理を行う制御部とを設け、
通常モードと高速モードとを切り替えて紙葉類の処理を行うようにしたことを特徴とする紙葉類処理装置。
【発明の詳細な説明】
【技術分野】
【０００１】
本発明は、紙幣、伝票、葉書等の紙葉類を取扱う紙葉類処理装置に関する。
【背景技術】
【０００２】
従来の紙葉類処理装置は、投入部に投入された紙葉類を１枚ずつ分離して搬送する搬送路、紙葉類の短辺および長辺を揃えつつ一定枚数を集積する一時集積部、一時集積部に集積された紙葉類を挟み搬送するハンド部、そのハンド部より搬送される紙葉類に紙テープ等の結束材により結束し紙葉類束として排出する施封部等の機構部、また各種モードを選択する操作を受付ける操作部、その操作部により入力されたモードにしたがって機構部を制御し、紙葉類を処理する制御部を備えたものがある（例えば、特許文献１参照）。
【０００３】
このように構成された紙葉類処理装置が発生する紙葉類の分離音、モータ等の駆動音、一時集積部における紙葉類整位音、ファンの回転音等機構部の動作による騒音は、紙葉類を高速に処理する場合、低速で処理する場合よりも大きくなることが一般的に知られている。
また、操作部で通常モードが選択された場合、駆動モータ等を通常の速度で駆動して高速な計数処理を行い、一方、静粛モードが選択された場合、駆動モータ等を通常速度より低速度で駆動して騒音を低下させて静粛性を向上させるようにしているものがある（例えば、特許文献２参照）。
【特許文献１】特開２００２−１９７５０９号公報（段落「０００７」〜段落「００３０」、図１）
【特許文献２】特開２０００−２４２７６３号公報（段落「００３４」〜段落「００５８」、図３）
【発明の開示】
【発明が解決しようとする課題】
【０００４】
しかしながら、上述した従来の技術においては、紙葉類処理装置の静粛性を必要とするか否かは操作者が判断して選択する必要があり、操作者が、紙葉類処理装置が設置された店舗等を静粛にすることを優先して静粛モードを選択する傾向にある場合、紙葉類処理装置内の機構部等が発生する騒音が小さいときであってもその駆動モータ等を通常速度より低速度で駆動させてしまうため計数処理等の紙葉類処理の時間が長くなってしまうという問題がある。
【０００５】
本発明は、このような問題を解決することを課題とする。
【課題を解決するための手段】
【０００６】
そのため、本発明は、通常の速度で紙葉類の分離、搬送、集積等の動作を行う通常モードと通常の速度より速い速度で紙葉類の分離、搬送、集積等のいずれか１つまたは複数の動作を行う高速モードとを切り替えて紙葉類の処理を行う紙葉類処理装置において、装置内部より発生する騒音の大きさを測定し、その騒音の大きさを示す騒音情報を出力する内部集音部と、装置内部の騒音が所定の大きさ超えることを検知するための閾値を記憶する記憶部と、前記内部集音部が出力する騒音情報を前記記憶部から読み出した閾値と比較し、該騒音情報が閾値を超えているとき、通常モードとして紙葉類の処理を行い、該騒音情報が閾値を超えていないとき、高速モードとして紙葉類の処理を行う制御部とを設け、装置内部より発生する騒音の大きさに応じて通常モードと高速モードとを切り替えて紙葉類の処理を行うようにしたことを特徴とする。
【発明の効果】
【０００７】
このようにした本発明は、操作者が装置周辺への騒音を配慮して高速モードまたは通常モードを切り替える操作を行う必要がなくなり、常に適切な速度の紙葉類処理を行うことができるようになるという効果が得られる。
【発明を実施するための最良の形態】
【０００８】
以下、図面を参照して本発明による紙葉類処理装置の実施例を説明する。
【実施例１】
【０００９】
まず、第１の実施例について説明する。
図１は第１の実施例における紙葉類処理装置の構成を示す概略側面図である。なお、以下の実施例では紙葉類を紙幣として説明するものとする。
図１において、１は紙幣の投入部で、装置正面の上部に設けられている。この投入部１に投入された紙幣は図示しないモータ等の駆動手段により回転する分離ローラにより１枚ずつ分離され後述する搬送路へ送り出される。
【００１０】
２は紙幣の真偽、金種、正損、表裏等の鑑別、および計数を行うとともに、紙幣が重なり合って搬送される重送等の搬送異常の検出を行う鑑別部で、装置内に設けられている。
３ａ〜３ｅは紙幣の搬送路であり、図示しないモータ等の駆動手段（以下、「搬送モータ」という。）により回転するローラやベルトで紙幣を挟持し、その紙幣を各部へ搬送するものである。４は紙幣の表裏反転を行う表裏反転部で、装置内の鑑別部２の後段に位置するように設けられている。
【００１１】
５（５ａ、５ｂ）は結束対象外の金種の紙幣を集積するオープンポケットで、装置の上面に設けられており、このオープンポケット５に集積された紙幣はオペレータが直接取り出すことができるようになっている。
６は鑑別部２で金種不明と鑑別されたり、重送等の搬送異常が検知されたリジェクト紙幣を集積するリジェクトポケットで、前記投入部１の上方に設けられており、このリジェクトポケット６に集積された紙幣にオペレータが直接取り出すことができるようになっている。
【００１２】
７は集積機構で、本実施例において、この集積機構７には縦１列に５つの一時集積部７ａ〜７ｅが並べられて装置内に設けられており、各一時集積部７ａ〜７ｅにそれぞれ予め定められた枚数（例えば本実施例では１００枚）の紙幣が集積できるようになっている。なお、一時集積部７ａ〜７ｅには集積した紙幣の短辺および長辺を揃える図示しない整位機構が設けられており、一枚の紙幣が搬送される毎に整位動作を行う。
【００１３】
８は一時集積部７ａ〜７ｅに集積された一定枚数の紙幣を一括して引き抜き、これを搬送するハンド部であり、後述する施封部に一括して紙幣を引き渡すことができるようになっている。９は施封部であり、ハンド部８により引き渡された紙幣を紙テープ等の結束材で結束し、紙幣束を作ることができるようになっている。１０は施封部９で結束された紙幣束を排出する放出口である。
【００１４】
１１は装置上面においてオープンポケット５の後方に位置するように設けられた操作表示部で、操作者に操作を誘導するための情報等を表示させる液晶ディスプレイ等の出力機構および操作者の操作による入力を受け付けるタッチパネル等の入力機構を設けたものである。１２は筐体に囲まれた装置内部に発生した熱を放熱させるためのファンである。
１３は装置内部より発生する騒音の大きさを測定するための内部集音部である。１６は制御部であり、ＣＰＵ（Ｃｅｎｔｒａｌ  Ｐｒｏｃｅｓｓｉｎｇ  Ｕｎｉｔ）等の制御手段および演算手段、メモリ等の記憶手段（記憶部）等で構成され、その記憶部に記憶された制御プログラム（ソフトウェア）にしたがって装置全体の動作を制御するものである。
【００１５】
このように構成された紙葉類処理装置は、投入部１に投入された紙幣を計数するともにその紙幣を結束した紙幣束を作成する紙幣処理を行う。
図２は第１の実施例における紙葉類処理装置の制御系の構成を示すブロック図である。
図２において、１７は前述した記憶部であり、この記憶部１７には操作表示部１１で入力された動作モードを記憶する。本実施例では、この動作モードは、通常モード、高速モード、または自動モードのいずれかを示すものとする。
【００１６】
ここで、通常モードとは、通常の速度で紙幣の分離、搬送、集積等の動作をさせて紙幣処理を行い、紙幣の分離音、搬送モータの駆動音、一時集積部７における紙幣整位音、ファン１２の回転音等の装置が発生する騒音が少ないモードをいい、高速モードとは、通常モードより装置が発生する騒音が大きくなってしまうがそれに優先して通常の速度より速い速度で紙幣の分離、搬送、集積等のいずれか１つまたは複数の動作をさせて紙幣処理を行うモードをいい、自動モードとは、内部集音部１３から入力された騒音情報にしたがって上述した通常モードまたは高速モードを適宜選択するモードをいう。
【００１７】
１８は判別部であり、記憶部１７に記憶された動作モードが自動モードであるとき、内部集音部１３から入力された騒音の大きさを示す情報（以下、「騒音情報」という。）が予め記憶部１７に記憶された閾値以上のとき（閾値を超えているとき）通常モードを選択し、またはその騒音情報が予め記憶部１７に記憶された閾値未満のとき高速モードを選択するものである。
【００１８】
このように制御部１６は、記憶部１７および判別部１８で構成され、記憶部１７に記憶された動作モードが自動モードであるとき、内部集音部１３から入力された騒音情報にしたがって通常モードまたは高速モードが適宜選択され、その選択されたモードに基づいて投入部１、搬送部３、一時集積部７、ハンド部８、施封部９、およびファン１２を制御して紙幣処理を行う。
【００１９】
なお、記憶部１７に記憶された動作モードが通常モードまたは高速モードである場合、内部集音部１３から入力された騒音情報に関わらず記憶された通常モードまたは高速モードで紙幣処理を行うものとする。
上述した構成の作用について説明する。
図３は第１の実施例におけるモード切替処理を示すフローチャートであり、図中Ｓで表すステップにしたがって説明する。
【００２０】
なお、以下に説明する各部の動作は、図示しないメモリや磁気ディスク等の記憶手段に格納されたプログラム（ソフトウェア）に基づいて図示しない中央処理装置等の制御手段により制御される。
また、装置の初期設定等において、動作モードを設定する操作者の入力操作を操作表示部１１が受付け、自動モード、通常モード、または高速モードのいずれかの動作モードが予め記憶部１７に記憶されているものとする。
【００２１】
紙幣処理を開始させる操作者の入力操作を操作表示部１１が受付け、投入部１に紙幣が投入されると制御部１６の指示により紙幣処理を開始する。
Ｓ１ａ：紙幣処理を開始すると制御部１６の判別部１８は記憶部１７に記憶されている動作モードを読出し、その動作モードを判別する。判別の結果、動作モードが高速モードの場合、処理をＳ３ａへ移行し、通常モードの場合、処理をＳ４ａへ移行し、自動モードの場合、処理をＳ２ａへ移行する。
【００２２】
Ｓ２ａ：動作モードが自動モードと判別されると制御部１６は内部集音部１３から騒音情報を入力し、判別部１８はその騒音情報と記憶部１７に予め記憶した閾値とを比較する。比較した結果、騒音情報が閾値以上、すなわち装置内部の騒音が大きいと判別すると処理をＳ４ａへ移行し、騒音情報が閾値未満、すなわち装置内部の騒音が小さいと判別すると処理をＳ３ａへ移行する。
【００２３】
Ｓ３ａ：制御部１６は通常の速度より速い速度で紙幣処理（高速モードの紙幣処理）を行い、処理をＳ１ａへ移行する。
Ｓ４ａ：制御部１６は通常の速度で紙幣処理（通常モードの紙幣処理）を行い、紙幣の分離音、搬送モータの駆動音、一時集積部７における紙幣整位音、ファン１２の回転音等の装置が発生する騒音が少なくなるようにする。そして、処理をＳ１ａへ移行する。
【００２４】
このようにして制御部１６は内部集音部１３から入力した騒音情報を監視し、その騒音情報にしたがって高速モードまたは通常モードを随時切替えて紙幣処理を行う。
なお、本実施例では紙葉類を紙幣として説明したが、紙幣に限られることなく伝票、葉書、金券、乗車券、入場券等であってもよい。
以上説明したように、第１の実施例では、内部集音部から入力した装置内部の騒音情報を監視し、その騒音情報にしたがって高速モードまたは通常モードを随時切替えて紙幣処理を行うようしたため、操作者が装置周辺への騒音を配慮して高速モードまたは通常モードを切り替える操作を行う必要がなくなり、常に適切な速度の紙幣処理を行うことができるようになるという効果が得られる。
【実施例２】
【００２５】
次に、第２の実施例を説明する。
第２の実施例の構成は、図４の第２の実施例における紙葉類処理装置の構成を示す概略側面図に示すように内部集音部１３を備えていないことが第１の実施例の構成と異なる。
なお、上述した第１の実施例と同様の部分は、同一の符号を付してその説明を省略する。
【００２６】
図５は第２の実施例における紙葉類処理装置の制御系の構成を示すブロック図である。
第２の実施例では、記憶部１７に操作表示部１１で入力された動作モードに加え、操作表示部１１で入力された取扱紙幣を記憶することが第１の実施例と異なる。
図５において、１７は前述した記憶部であり、この記憶部１７には操作表示部１１で入力された動作モードおよび取扱紙幣情報を記憶する。本実施例では、この動作モードは、通常モード、高速モード、または自動モードのいずれかを示すものとし、また、取扱紙幣情報は、装置が取扱う紙幣の種別を示すものとする。
【００２７】
なお、通常モードおよび高速モードは第１の実施例と同様なのでその説明を省略する。
ここで、装置が取扱う紙幣の種別には新券、旧券、正券、損券等があるが、新券とは、所定の機関から新たに発行された直後の張りのある紙幣をいい、旧券、正券、損券等は新券と比較して張りのない紙幣である。
本実施例では、装置が取扱う紙幣の種類が新券のみの場合は取扱紙幣情報を「新券」とし、新券以外の紙幣を含む場合は取扱紙幣情報を「新券以外」として記憶部１７に記憶させるものとし、その取扱紙幣情報は、操作者の入力操作を操作表示部１１が受け付けて記憶部１７に記憶されるものとする。
【００２８】
１８は判別部であり、記憶部１７に記憶された動作モードが自動モードである場合、記憶部１７から読み出した取扱紙幣情報が「新券」のとき通常モードを選択し、「新券以外」のとき高速モードを選択するものである。
このように制御部１６は、記憶部１７および判別部１８で構成され、記憶部１７に記憶された動作モードが自動モードであるとき、さらに記憶部１７に記憶された取扱紙幣情報にしたがって通常モードまたは高速モードが適宜選択され、その選択されたモードに基づいて投入部１、搬送部３、一時集積部７、ハンド部８、施封部９、およびファン１２を制御して紙幣処理を行う。
【００２９】
なお、記憶部１７に記憶された動作モードが通常モードまたは高速モードである場合、記憶部１７に記憶された取扱紙幣情報に関わらず記憶された通常モードまたは高速モードで紙幣処理を行うものとする。
上述した構成の作用について説明する。
図６は第２の実施例におけるモード切替処理を示すフローチャートであり、図中Ｓで表すステップにしたがって説明する。
【００３０】
なお、以下に説明する各部の動作は、図示しないメモリや磁気ディスク等の記憶手段に格納されたプログラム（ソフトウェア）に基づいて図示しない中央処理装置等の制御手段により制御される。
また、装置の初期設定等において、動作モードおよび取扱紙幣を設定する操作者の入力操作を操作表示部１１が受付け、自動モード、通常モード、または高速モードのいずれかの動作モードおよび新券または新券以外のいずれかの取扱紙幣情報が予め記憶部１７に記憶されているものとする。
【００３１】
紙幣処理を開始させる操作者の入力操作を操作表示部１１が受付け、投入部１に紙幣が投入されると制御部１６の指示により紙幣処理を開始する。
Ｓ１ｂ：紙幣処理を開始すると制御部１６の判別部１８は記憶部１７に記憶されている動作モードを読出し、その動作モードを判別する。判別の結果、動作モードが高速モードの場合、処理をＳ３ｂへ移行し、通常モードの場合、処理をＳ４ｂへ移行し、自動モードの場合、処理をＳ２ｂへ移行する。
【００３２】
Ｓ２ｂ：動作モードが自動モードと判別されると制御部１６は記憶部１７から取扱紙幣情報を読出し、判別部１８はその取扱紙幣情報が「新券以外」または「新券」のいずれかであるかを判別する。判別した結果、取扱紙幣情報が「新券」と判別すると処理をＳ４ｂへ移行し、「新券以外」と判別すると処理をＳ３ｂへ移行する。
Ｓ３ｂ：制御部１６は通常の速度より速い速度で紙幣処理（高速モードの紙幣処理）を行い、処理をＳ１ｂへ移行する。
【００３３】
Ｓ４ｂ：制御部１６は通常の速度で紙幣処理（通常モードの紙幣処理）を行い、紙幣の分離音、搬送モータの駆動音、一時集積部７における紙幣整位音、ファン１２の回転音等の装置が発生する騒音が少なくなるようにする。そして、処理をＳ１ｂへ移行する。
このようにして制御部１６は記憶部１７から読み出した取扱紙幣情報にしたがって高速モードまたは通常モードを切替えて紙幣処理を行う。
【００３４】
なお、本実施例では紙葉類を紙幣として説明したが、紙幣に限られることなく伝票、葉書、金券、乗車券、入場券等であってもよい。
以上説明したように、第２の実施例では、記憶部１７から読み出した取扱紙幣情報にしたがって高速モードまたは通常モードを切替えて紙幣処理を行うようしたため、操作者が装置周辺への騒音を配慮して高速モードまたは通常モードを切り替える操作を行う必要がなくなり、適切な速度の紙幣処理を行うことができるようになるとともに装置が発生する騒音を抑制することができるという効果が得られる。
【実施例３】
【００３５】
次に、第３の実施例を説明する。
第３の実施例の構成は、図７の第３の実施例における紙葉類処理装置の構成を示す概略側面図に示すように内部集音部１３に替えて外部集音部１４を備えていることが第１の実施例の構成と異なるので、その異なる部分を以下に説明し、上述した第１の実施例と同様の部分は、同一の符号を付してその説明を省略する。
【００３６】
図７において、１４は装置の周辺に発生している騒音の大きさを測定するための外部集音部である。
図８は第３の実施例における紙葉類処理装置の制御系の構成を示すブロック図である。
図８において、１７は前述した記憶部であり、この記憶部１７には操作表示部１１で入力された動作モードを記憶する。本実施例では、この動作モードは、通常モード、高速モード、または自動モードのいずれかを示すものとする。
【００３７】
ここで、通常モードとは、通常の速度で紙幣の分離、搬送、集積等の動作をさせて紙幣処理を行い、紙幣の分離音、搬送モータの駆動音、一時集積部７における紙幣整位音、ファン１２の回転音等の装置が発生する騒音が少ないモードをいい、高速モードとは、通常モードより装置が発生する騒音が大きくなってしまうがそれに優先して通常の速度より速い速度で紙幣の分離、搬送、集積等の動作をさせて紙幣処理を行うモードをいい、自動モードとは、外部集音部１４から入力された騒音情報にしたがって通常モードまたは高速モードを適宜選択するモードをいう。
【００３８】
１８は判別部であり、記憶部１７に記憶された動作モードが自動モードであるとき、外部集音部１４から入力された騒音の大きさを示す騒音情報が予め記憶部１７に記憶された閾値以上のとき（閾値を超えているとき）高速モードを選択し、またはその騒音情報が予め記憶部１７に記憶された閾値未満のとき通常モードを選択するものである。
このように制御部１６は、記憶部１７および判別部１８で構成され、記憶部１７に記憶された動作モードが自動モードであるとき、外部集音部１４から入力された騒音情報にしたがって通常モードまたは高速モードが適宜選択され、その選択されたモードに基づいて投入部１、搬送部３、一時集積部７、ハンド部８、施封部９、およびファン１２を制御して紙幣処理を行う。
【００３９】
なお、記憶部１７に記憶された動作モードが通常モードまたは高速モードである場合、外部集音部１４から入力された騒音情報に関わらず記憶された通常モードまたは高速モードで紙幣処理を行うものとする。
上述した構成の作用について説明する。
図９は第３の実施例におけるモード切替処理を示すフローチャートであり、図中Ｓで表すステップにしたがって説明する。
【００４０】
なお、以下に説明する各部の動作は、図示しないメモリや磁気ディスク等の記憶手段に格納されたプログラム（ソフトウェア）に基づいて図示しない中央処理装置等の制御手段により制御される。
また、装置の初期設定等において、動作モードを設定する操作者の入力操作を操作表示部１１が受付け、自動モード、通常モード、または高速モードのいずれかの動作モードが予め記憶部１７に記憶されているものとする。
【００４１】
紙幣処理を開始させる操作者の入力操作を操作表示部１１が受付け、投入部１に紙幣が投入されると制御部１６の指示により紙幣処理を開始する。
Ｓ１ｃ：紙幣処理を開始すると制御部１６の判別部１８は記憶部１７に記憶されている動作モードを読出し、その動作モードを判別する。判別の結果、動作モードが高速モードの場合、処理をＳ３ｃへ移行し、通常モードの場合、処理をＳ４ｃへ移行し、自動モードの場合、処理をＳ２ｃへ移行する。
【００４２】
Ｓ２ｃ：動作モードが自動モードと判別されると制御部１６は外部集音部１４から騒音情報を入力し、判別部１８はその騒音情報と記憶部１７に予め記憶した閾値とを比較する。比較した結果、騒音情報が閾値以上、すなわち装置外部の騒音が大きいと判別すると処理をＳ３ｃへ移行し、騒音情報が閾値未満、すなわち装置外部の騒音が小さいと判別すると処理をＳ４ｃへ移行する。
【００４３】
Ｓ３ｃ：制御部１６は通常の速度より速い速度で紙幣処理（高速モードの紙幣処理）を行い、処理をＳ１ｃへ移行する。
Ｓ４ｃ：制御部１６は通常の速度で紙幣処理（通常モードの紙幣処理）を行い、紙幣の分離音、搬送モータの駆動音、一時集積部７における紙幣整位音、ファン１２の回転音等の装置が発生する騒音が少なくなるようにする。そして、処理をＳ１ｃへ移行する。
【００４４】
このようにして制御部１６は外部集音部１４から入力した騒音情報を監視し、その騒音情報にしたがって高速モードまたは通常モードを随時切替えて紙幣処理を行う。
なお、本実施例では紙葉類を紙幣として説明したが、紙幣に限られることなく伝票、葉書、金券、乗車券、入場券等であってもよい。
以上説明したように、第３の実施例では、外部集音部から入力した装置外部の騒音情報を監視し、その騒音情報にしたがって高速モードまたは通常モードを随時切替えて紙幣処理を行うようしたため、操作者が装置周辺の騒音の状況を考慮して高速モードまたは通常モードを切り替える操作を行う必要がなくなり、常に適切な速度の紙幣処理を行うことができるようになるという効果が得られる。
【実施例４】
【００４５】
次に、第４の実施例を説明する。
第４の実施例の構成は、図１０の第４の実施例における紙葉類処理装置の構成を示す概略側面図に示すように内部集音部１３に替えて近接センサ１５を備えていることが第１の実施例の構成と異なるので、その異なる部分を以下に説明し、上述した第１の実施例と同様の部分は、同一の符号を付してその説明を省略する。
【００４６】
図１０において、１４は装置の周辺に人が存在することを検知するための近接センサである。この近接センサ１４は赤外線センサや超音波センサ等で構成され、装置の周辺に人が存在することを検知することができるものである。
図１１は第４の実施例における紙葉類処理装置の制御系の構成を示すブロック図である。
【００４７】
図１１において、１７は前述した記憶部であり、この記憶部１７には操作表示部１１で入力された動作モードを記憶する。本実施例では、この動作モードは、通常モード、高速モード、または自動モードのいずれかを示すものとする。
ここで、通常モードとは、通常の速度で紙幣の分離、搬送、集積等の動作をさせて紙幣処理を行い、紙幣の分離音、搬送モータの駆動音、一時集積部７における紙幣整位音、ファン１２の回転音等の装置が発生する騒音が少ないモードをいい、高速モードとは、通常モードより装置が発生する騒音が大きくなってしまうがそれに優先して通常の速度より速い速度で紙幣の分離、搬送、集積等の動作をさせて紙幣処理を行うモードをいい、自動モードとは、近接センサ１５から入力された装置周辺に人が存在するか否かを示す情報（以下、「近接情報」という。）にしたがって通常モードまたは高速モードを適宜選択するモードをいう。
【００４８】
１８は判別部であり、記憶部１７に記憶された動作モードが自動モードであるとき、近接センサ１５から入力された近接情報が装置周辺に人が存在することを示すとき通常モードを選択し、またはその近接情報が装置周辺に人が存在しないことを示すとき高速モードを選択するものである。
このように制御部１６は、記憶部１７および判別部１８で構成され、記憶部１７に記憶された動作モードが自動モードであるとき、近接センサ１５から入力された近接情報にしたがって通常モードまたは高速モードが適宜選択され、その選択されたモードに基づいて投入部１、搬送部３、一時集積部７、ハンド部８、施封部９、およびファン１２を制御して紙幣処理を行う。
【００４９】
なお、記憶部１７に記憶された動作モードが通常モードまたは高速モードである場合、近接センサ１５から入力された近接情報に関わらず記憶された通常モードまたは高速モードで紙幣処理を行うものとする。
上述した構成の作用について説明する。
図１２は第４の実施例におけるモード切替処理を示すフローチャートであり、図中Ｓで表すステップにしたがって説明する。
【００５０】
なお、以下に説明する各部の動作は、図示しないメモリや磁気ディスク等の記憶手段に格納されたプログラム（ソフトウェア）に基づいて図示しない中央処理装置等の制御手段により制御される。
また、装置の初期設定等において、動作モードを設定する操作者の入力操作を操作表示部１１が受付け、自動モード、通常モード、または高速モードのいずれかの動作モードが予め記憶部１７に記憶されているものとする。
【００５１】
紙幣処理を開始させる操作者の入力操作を操作表示部１１が受付け、投入部１に紙幣が投入されると制御部１６の指示により紙幣処理を開始する。
Ｓ１ｄ：紙幣処理を開始すると制御部１６の判別部１８は記憶部１７に記憶されている動作モードを読出し、その動作モードを判別する。判別の結果、動作モードが高速モードの場合、処理をＳ３ｄへ移行し、通常モードの場合、処理をＳ４ｄへ移行し、自動モードの場合、処理をＳ２ｄへ移行する。
【００５２】
Ｓ２ｄ：動作モードが自動モードと判別されると制御部１６は近接センサ１５から近接情報を入力し、判別部１８はその近接情報が装置の周辺に人が存在することを示すと判別すると処理をＳ４ｄへ移行し、近接情報が装置の周辺に人が存在しないことを示すと判別すると処理をＳ３ｄへ移行する。
Ｓ３ｄ：制御部１６は通常の速度より速い速度で紙幣処理（高速モードの紙幣処理）を行い、処理をＳ１ｄへ移行する。
【００５３】
Ｓ４ｄ：制御部１６は通常の速度で紙幣処理（通常モードの紙幣処理）を行い、紙幣の分離音、搬送モータの駆動音、一時集積部７における紙幣整位音、ファン１２の回転音等の装置が発生する騒音が少なくなるようにする。そして、処理をＳ１ｄへ移行する。
このようにして制御部１６は近接センサ１５から入力した近接情報を監視し、その近接情報にしたがって高速モードまたは通常モードを随時切替えて紙幣処理を行う。
【００５４】
なお、本実施例では紙葉類を紙幣として説明したが、紙幣に限られることなく伝票、葉書、金券、乗車券、入場券等であってもよい。
以上説明したように、第４の実施例では、近接センサから入力した近接情報を監視し、その近接情報にしたがって高速モードまたは通常モードを随時切替えて紙幣処理を行うようしたため、操作者が装置周辺の人の存否を考慮して高速モードまたは通常モードを切り替える操作を行う必要がなくなり、常に適切な速度の紙幣処理を行うことができるようになるという効果が得られる。
【００５５】
第１の実施例から第４の実施例では内部集音部１３、取扱紙幣を記憶する記憶部１７、外部集音部１４、または近接センサ１５をそれぞれ備える構成で説明したが、上述した内部集音部１３、取扱紙幣を記憶する記憶部１７、外部集音部１４、および近接センサ１５すべてを備えた構成としてもよい。
この場合の作用を説明する。
【００５６】
図１３は変形例におけるモード切替処理を示すフローチャートであり、図中Ｓで表すステップにしたがって説明する。
なお、以下に説明する各部の動作は、図示しないメモリや磁気ディスク等の記憶手段に格納されたプログラム（ソフトウェア）に基づいて図示しない中央処理装置等の制御手段により制御される。
【００５７】
また、装置の初期設定等において、動作モードを設定する操作者の入力操作を操作表示部１１が受付け、自動モード、通常モード、または高速モードのいずれかの動作モードが予め記憶部１７に記憶されているものとする。
紙幣処理を開始させる操作者の入力操作を操作表示部１１が受付け、投入部１に紙幣が投入されると制御部１６の指示により紙幣処理を開始する。
【００５８】
Ｓ１ｅ：紙幣処理を開始すると制御部１６の判別部１８は記憶部１７に記憶されている動作モードを読出し、その動作モードを判別する。判別の結果、動作モードが高速モードの場合、処理をＳ６ｅへ移行し、通常モードの場合、処理をＳ７ｅへ移行し、自動モードの場合、処理をＳ２ｅへ移行する。
Ｓ２ｅ：動作モードが自動モードと判別されると制御部１６は内部集音部１３から騒音情報を入力し、判別部１８はその騒音情報と記憶部１７に予め記憶した閾値とを比較する。比較した結果、騒音情報が閾値以上、すなわち装置内部の騒音が大きいと判別すると処理をＳ７ｅへ移行し、騒音情報が閾値未満、すなわち装置内部の騒音が小さいと判別すると処理をＳ３ｅへ移行する。
【００５９】
Ｓ３ｅ：騒音情報が閾値未満と判別されると制御部１６は記憶部１７から取扱紙幣情報を読出し、判別部１８はその取扱紙幣情報が「新券以外」または「新券」のいずれかであるかを判別する。判別した結果、取扱紙幣情報が「新券」と判別すると処理をＳ７ｅへ移行し、「新券以外」と判別すると処理をＳ４ｅへ移行する。
Ｓ４ｅ：取扱紙幣情報が「新券以外」と判別されると制御部１６は外部集音部１４から騒音情報を入力し、判別部１８はその騒音情報と記憶部１７に予め記憶した閾値とを比較する。比較した結果、騒音情報が閾値以上、すなわち装置外部の騒音が大きいと判別すると処理をＳ５ｅへ移行し、騒音情報が閾値未満、すなわち装置外部の騒音が小さいと判別すると処理をＳ７ｅへ移行する。
【００６０】
Ｓ５ｅ：装置外部の騒音が大きいと判別されると制御部１６は近接センサ１５から近接情報を入力し、判別部１８はその近接情報が装置の周辺に人が存在することを示すと判別すると処理をＳ７ｅへ移行し、近接情報が装置の周辺に人が存在しないことを示すと判別すると処理をＳ６ｅへ移行する。
Ｓ６ｅ：制御部１６は通常の速度より速い速度で紙幣処理（高速モードの紙幣処理）を行い、処理をＳ１ｅへ移行する。
【００６１】
Ｓ７ｅ：制御部１６は通常の速度で紙幣処理（通常モードの紙幣処理）を行い、紙幣の分離音、搬送モータの駆動音、一時集積部７における紙幣整位音、ファン１２の回転音等の装置が発生する騒音が少なくなるようにする。そして、処理をＳ１ｅへ移行する。
このようにして制御部１６は近接センサ１５から入力した近接情報を監視し、その近接情報にしたがって高速モードまたは通常モードを随時切替えて紙幣処理を行うようにしてもよい。
【００６２】
なお、操作者の入力操作を操作表示部１１で受付け、その入力された情報にしたがって判別部１８が上記Ｓ２ｅ〜Ｓ５ｅのいずれかの一または複数の判別条件を有効にするようにしてもよい。
【図面の簡単な説明】
【００６３】
【図１】第１の実施例における紙葉類処理装置の構成を示す概略側面図
【図２】第１の実施例における紙葉類処理装置の制御系の構成を示すブロック図
【図３】第１の実施例におけるモード切替処理を示すフローチャート
【図４】第２の実施例における紙葉類処理装置の構成を示す概略側面図
【図５】第２の実施例における紙葉類処理装置の制御系の構成を示すブロック図
【図６】第２の実施例におけるモード切替処理を示すフローチャート
【図７】第３の実施例における紙葉類処理装置の構成を示す概略側面図
【図８】第３の実施例における紙葉類処理装置の制御系の構成を示すブロック図
【図９】第３の実施例におけるモード切替処理を示すフローチャート
【図１０】第４の実施例における紙葉類処理装置の構成を示す概略側面図
【図１１】第４の実施例における紙葉類処理装置の制御系の構成を示すブロック図
【図１２】第４の実施例におけるモード切替処理を示すフローチャート
【図１３】変形例におけるモード切替処理を示すフローチャート
【符号の説明】
【００６４】
１    投入部
２    鑑別部
３    搬送路
４    表裏反転部
５    オープンポケット
６    リジェクトポケット
７    一時集積部
８    ハンド部
９    施封部
１０  放出口
１１  操作表示部
１２  ファン
１３  内部集音部
１４  外部集音部
１５  近接センサ
１６  制御部
１７  記憶部
１８  判別部
【図１】
2008186196.tif 000003
【図２】
2008186196.tif 000004
【図３】
2008186196.tif 000005
【図４】
2008186196.tif 000006
【図５】
2008186196.tif 000007
【図６】
2008186196.tif 000008
【図７】
2008186196.tif 000009
【図８】
2008186196.tif 000010
【図９】
2008186196.tif 000011
【図１０】
2008186196.tif 000012
【図１１】
2008186196.tif 000013
【図１２】
2008186196.tif 000014
【図１３】
2008186196.tif 000015